(57)【要約】【課題】取付け及び取外しの際に工具が不要で、作業が簡単容易となり、梱包が嵩張らず、コンパクトになる単管足場用中桟を提供することを目的とする。【解決手段】単管足場の足場板４長手方向に対向するフランジ２付き支柱１間において手摺り５と足場板４との中間に設置される中桟６であって、中桟本体８の一端部に、上下部片９ａ，９ｂに差込孔１０，１１を有するコ字枠部材９を取り付け、コ字枠部材９を一方の支柱１のフランジ２に跨嵌させて、コ字枠部材９の上下部片９ａ，９ｂの差込孔１０，１１とフランジ２に設けられた係合孔７とにわたって上方よりロックピン１２を差し込み、中桟本体８の他端部にはフック１５を取り付け、フック１５を他方の支柱１のフランジ２に設けられた係合孔７に係止させる。【選択図】図１
2011032806.tif 000002
【特許請求の範囲】
【請求項１】
単管足場の足場板長手方向に対向するフランジ付き支柱間において手摺りと足場板との中間に設置される中桟であって、中桟本体の一端部に、上下部片に差込孔を有するコ字枠部材を取り付け、このコ字枠部材を一方の支柱のフランジに跨嵌させて、コ字枠部材の上下部片の差込孔とフランジに設けられた係合孔とにわたって上方よりロックピンを差し込み、中桟本体の他端部にはフックを取り付け、このフックを他方の支柱のフランジに設けられた係合孔に係止させるようにした単管足場用中桟。
【請求項２】
単管足場の足場板長手方向に対向するフランジ付き支柱間において手摺りと足場板との中間に設置される中桟であって、中桟本体の両端部に、夫々上下部片に差込孔を有するコ字枠部材を取り付け、各コ字枠部材を各支柱のフランジに跨嵌させて、各コ字枠部材の上下部片の差込孔とフランジに設けられた係合孔とにわたって上方よりロックピンを差し込むようにした単管足場用中桟。
【請求項３】
ロックピンの上端部には、ロックピンの差し込み時にコ字枠部材の上部片側差込孔の上端側に係止されるストッパーを形成し、ロックピンの下端部には、ロックピンの引き上げ時にコ字枠部材の下部片側差込孔及びフランジの係合孔は通過するが、上部片側差込孔を通過できないようにするための抜け止め用突起を形成している請求項１又は２に記載の単管足場用中桟。
【請求項４】
フックは、中桟本体の他端部下面側から下向き垂直に突設された縦軸部と、この縦軸部の下端部から横向き直角に突設された横軸部とによってＬ字状に形成されている請求項１に記載の単管足場用中桟。
【発明の詳細な説明】
【技術分野】
【０００１】
本発明は、単管足場の足場板長手方向に対向するフランジ付き支柱間において手摺りと足場板との中間に設置される中桟に関するものである。
【背景技術】
【０００２】
単管足場の設置について、これまでの労働安全衛生規則では、手摺りの高さは７５ｃｍ以上とする、となっていたが、昭和４７年の安全則制定時に比べて成人男子の平均身長が伸びており、従前のままでは作業者が手摺りを乗り越えてしまう危険性があることから、このたび労働安全衛生規則の一部が改正され（平成２１年６月１日施工）、手摺り高さが１０ｃｍ引き上げられて、８５ｃｍ以上となり、これに加えて、高さ３５ｃｍ以上、５０ｃｍ以下の中桟を手摺りの下方に設置するように義務づけられることになった。
【０００３】
上記改正規則に従って現在実施されている単管足場用の中桟には、足場板から８５ｃｍ以上の位置に設置される比較的太径の鋼管製手摺り（図１の(a) に符号５で示される）と同じものが使用されており、そしてその手摺りと同じ楔緊結式取付手段によって中桟の両端部を夫々フランジ付き支柱のフランジに取り付けるようにしている。
【発明の概要】
【発明が解決しようとする課題】
【０００４】
上記のように単管手摺りと同じものからなる中桟の両端部を楔緊結式取付手段によってフランジ付き支柱に取り付けるようにしている現在の単管用手摺りによっては、中桟の取付け及び取外し作業に工具（ハンマー）を必要とするため、作業に非常な手間がかかり、また楔緊結式取付手段の楔が中桟の両端部に取り付けられた取付金具に付設されるため、梱包が嵩張って、搬送や保管に不都合である。また、中桟の使用中に楔が緩んだ場合に、取付金具が簡単に外れるため、作業者が墜落する危険性がある。
【０００５】
本発明は、上記の事情に鑑み、取付け及び取外しの際に工具が不要で、作業が簡単容易となり、梱包が嵩張らず、コンパクトになる単管足場用中桟を提供することを目的としている。
【課題を解決するための手段】
【０００６】
上記課題を解決するための手段を、後述する実施形態の参照符号を付して説明すると、請求項１に係る発明の単管足場用中桟６は、単管足場の足場板４長手方向に対向するフランジ２付き支柱１，１間において手摺り５と足場板４との中間に設置される中桟６であって、中桟本体８の一端部に、上下部片９ａ，９ｂに差込孔１０，１１を有するコ字枠部材９を取り付け、このコ字枠部材９を一方の支柱１のフランジ２に跨嵌させて、コ字枠部材９の上下部片９ａ，９ｂの差込孔１０，１１とフランジ２に設けられた係合孔７とにわたって上方よりロックピン１２を差し込み、中桟本体８の他端部にはフック１５を取り付け、このフック１５を他方の支柱１のフランジ２に設けられた係合孔７に係止させるようにしたことを特徴とする。
【０００７】
請求項２に係る発明の単管足場用中桟１６は、単管足場の足場板４長手方向に対向するフランジ２付き支柱１間において手摺り５と足場板４との中間に設置される中桟１６であって、中桟本体８の両端部に、夫々上下部片９ａ，９ｂに差込孔１０，１１を有するコ字枠部材９，９を取り付け、各コ字枠部材９を各支柱１のフランジ２に跨嵌させて、各コ字枠部材９の上下部片９ａ，９ｂの差込孔１０，１１とフランジ２に設けられた係合孔７とにわたって上方よりロックピン１２を差し込むようにしたことを特徴とする。
【０００８】
請求項３は、請求項１又は２に記載の単管足場用中桟において、ロックピン１２の上端部には、ロックピン１２の差し込み時にコ字枠部材９の上部片側差込孔１０の上端側に係止されるストッパー１３を形成し、ロックピン１２の下端部には、ロックピン１２の引き上げ時にコ字枠部材９の下部片側差込孔１１及びフランジ２の係合孔７は通過するが、上部片側差込孔１０を通過できないようにするための抜け止め用突起１４を形成していることを特徴とする。
【０００９】
請求項４は、請求項１に記載の単管足場用中桟において、フック１５は、中桟本体８の他端部下面側から下向き直角に突設された縦軸部１５ａと、この縦軸部１５ａの下端部から横向き垂直に突設された横軸部１５ｂとによってＬ字状に形成されていることを特徴とする。
【発明の効果】
【００１０】
上記解決手段による発明の効果を、後述する実施形態の参照符号を付して説明すると、請求項１に係る発明の単管足場用中桟６によれば、中桟６の両端部を対向する支柱１，１間に設置する時は、一端側はコ字枠部材９を支柱１のフランジ２に跨嵌させて、コ字枠部材９の上下部片９ａ，９ｂの差込孔１０，１１とフランジ２の係合孔７とにわたって上方よりロックピン１２を差し込み、他端側はフック１５を支柱１のフランジ２の係合孔７に引っ掛ければよく、また中桟６を取取り外す時は、一端側のロックピン１２を引き上げ、他端側のフック１５を引き抜けばよいから、中桟６の取付け・取外しを、ハンマーなどの工具を一切使用することなく、簡単容易に行うことができる。
【００１１】
また上記のように中桟６の一端部にはコ字枠部材９を取り付けると共に落し込みタイプ（落下錠タイプ）のロックピン１２を備え、他端部にはフック１５を取り付けるだけであるから、構造が簡単で軽量にしてコンパクトとなり、安価に製作でき、しかも嵩張らずに梱包することができる。また、楔を使用しないため、緩んで外れる可能性がない。
【００１２】
請求項２に係る発明の単管足場用中桟１６によれば、中桟本体８の両端部にコ字枠部材９，９を取り付けいるから、中桟１６の設置時は、各コ字枠部材９を各支柱１のフランジ２に跨嵌させて、各コ字枠部材９の上下部片９ａ，９ｂの差込孔１０，１１とフランジ２の係合孔７とにわたってロックピン１２を差し込めばよく、また中桟１６の取外し時は、各ロックピン１２を引き上げて、コ字枠部材９側を横方向に移動させればよいから、中桟１６の取付け及び取外し作業がより一層簡単容易となる。
【００１３】
請求項３に係る発明によれば、ロックピン１２の抜け出しが阻止されるから、ロックピン１２は常にコ字枠部材９に取り付けられた状態となって、紛失することがなく、使用上便利となる。
【００１４】
請求項４に記載のように、フック１５を、中桟本体８の他端部下面側から下向き直角に突設された縦軸部１５ａと、縦軸部１５ａの下端部から横向き垂直に突設された横軸部１５ｂとでＬ字状に形成することによって、構造が簡単でありながら、フランジ２の係合孔７に有効に係止させることができる。
【図面の簡単な説明】
【００１５】
【図１】(a) は本発明の一実施形態による中桟を備えた単管足場を示す正面図、(b) は(a) のＺ−Ｚ線断面図である。
【図２】(a) は図１の(a) の矢印Ｘで示す部分の拡大図であり、(b) はその平面図である。
【図３】(a-1) はロックピンの引き上げ時の状態を示す中桟端部の一部断面説明図、(a-2) は(a-1) のＶ−Ｖ線断面図、(b-1) はロックピンの差し込み時の状態を示す中桟端部の一部断面説明図、(a-2) は(b-1) のＷ−Ｗ線断面図である。
【図４】(a) は図１の(a) の矢印Ｙで示す部分の拡大図であり、(b) はその平面図である。
【図５】中桟本体の端部に設けられたフックを示す斜視図、(b) はフックを支柱のフランジの係合孔に係入し始めた状態の一部断面説明図、(c) はフックを支柱のフランジの係合孔に係入し終えた状態の一部断面説明図である。
【図６】(a) は本発明の他の実施形態による中桟を備えた単管足場の正面図、(b) は(a) の一部拡大正面図である。
【発明を実施するための形態】
【００１６】
以下に本発明の好適な一実施形態を図面に基づいて説明すると、図１の(a) 及び(b) に示される単管足場は、鋼管製のフランジ２付き支柱１を夫々所定間隔で左右方向に対向し且つ前後方向に対向するように配設すると共に、前後に対向する支柱１，１どうしを腕木３によってつなぎ、左右方向に対向するの腕木３，３間に足場板４を架け渡し、この足場板４の長手方向に対向する両支柱１，１間には、足場板４から８５ｃｍ以上の高さ位置に手摺り５を設置すると共に、この手摺り５と足場板４との中間位置、即ち鋼製足場板４から３５ｃｍ以上、５０ｃｍ以下の高さ位置に中桟６を設置してなる構成を有する。
【００１７】
各支柱１にはフランジ２が４７５ｍｍのピッチで固着されていて、各フランジ２には、図１の(b) 、図２及び図４に示すように、半径方向に長い略矩形状の係合孔７が周方向に９０°の間隔で４つ設けられている。
【００１８】
各支柱１は、直径４８ｍｍの鋼管からなり、手摺り５は、支柱１より若干径小である直径４２ｍｍの鋼管からなり、そして中桟６は、支柱１の直径の概ね２／３である直径２７ｍｍ程度の鋼管からなる。尚、この実施形態の単管足場においては、手摺り５は、足場板４から約９５０ｍｍの高さ位置に設置され、中桟６は、足場板４から約４８０ｍｍの高さ位置に設置されている。
【００１９】
次に、中桟６の両端部を足場板４の長手方向に対向する支柱１，１間に設置する構造について説明すれば、この中桟６は、上記のように直径２７ｍｍ程度の鋼管によって形成された中桟本体８からなるもので、図２及び図３に示すように、中桟本体８の一端部には、上下部片９ａ，９ｂと両部片９ａ，９ｂをつなぐ連結部片９ｃとからなり且つ上下部片９ａ，９ｂに夫々矩形状の差込孔１０，１１を設けたコ字枠部材９が取り付けられ、このコ字枠部材９にはロックピン１２が取り付けてある。
【００２０】
ロックピン１２は、図３から分かるように、断面矩形状の金属材からなるもので、上端部には、このロックピン１２の差し込み時にコ字枠部材９の上部片側差込孔１０の上端側に係止されるように幅広のストッパー１３が形成され、ロックピン１２の下端部の一側面には、ロックピン１２の引き上げ時にコ字枠部材９の下部片側差込孔１１及びフランジ２の係合孔７は通過するが、上部片側差込孔１０を通過できないようにするための略半球状の抜け止め用突起１４が形成されている。このロックピン１２は、落し込みタイプ、即ち落下錠タイプのピンで、コ字枠部材９の差込孔１０，１１及びフランジ２の係合孔７に対し、ハンマーなどの工具を一切使用することなく、手で容易に落し込み挿入することができる。
【００２１】
図２の(a) ，(b) に示すように、ロックピン１２によって中桟本体８の一端部のコ字枠部材９を一方の支柱１のフランジ２に取り付けるには、コ字枠部材９をフランジ２に跨嵌させて、コ字枠部材９の上下部片９ａ，９ｂの差込孔１０，１１とフランジ２に設けられた係合孔７とにわたって上方よりロックピン１２を差し込めばよく、またコ字枠部材９をフランジ２から取り外す時は、ロックピン１２を引き上げればよい。
【００２２】
このロックピン１２の引き上げ時には、前記のようにロックピン１２の下端部一側面に抜け止め用突起１４が形成されているから、ロックピン１２の下端部は、下部片側差込孔１１及びフランジ２の係合孔７を通過した後、図３の(a-1) 及び(a-2) に示すように、上部片側差込孔１０の下端側に引っ掛かることになって、ロックピン１２の上方への抜け出しが阻止される。このようにロックピン１２の抜け出しが阻止されるから、ロックピン１２は常にコ字枠部材９に取り付けられた状態となって、紛失することがなく、使用上便利となる。
【００２３】
図４及び図５に示すように、中桟本体８の他端部にはフック１５が取り付けてあって、このフック１５を他方の支柱１のフランジ２に設けられた係合孔７に係止させることによって、中桟本体８の他端部を他方の支柱１のフランジ２に取り付けることができる。
【００２４】
フック１５を中桟本体８の他端部に取り付けるにあたって、鋼管からなる中桟本体８の他端部側を、図４の(a) ，(b) 及び図５の(a) に示すように、プレスにより圧潰加工して扁平板状部８ｏを形成し、この扁平板状部８ｏの先端側下面にフック１５を溶接により固着突設する。
【００２５】
このフック１５は、図５の(a) に示すように、中桟本体８他端部の上記扁平板状部８ｏの先端側下面から下向き垂直に突設された縦軸部１５ａと、この縦軸部１５ａの下端部から中桟本体８長手方向と直交する横向き方向に直角に突設された横軸部１５ｂとによってＬ字状に形成されている。
【００２６】
このフック１５によって中桟本体８の他端部を他方の支柱１に取り付けるには、中桟本体８の一端部側を一方の支柱１に取り付ける前に、このフック１５を他方の支柱１のフランジ２の係合孔７に係止させる。この場合、図５の(b) に示すように、中桟本体８を横向きにして、フック１５の横軸部１５ｂの端面を下向きにした状態で、この横軸部１５ｂをフランジ２の係合孔７に上方より突入させた後、中桟本体８を元の状態に戻すことによって、フック１５は、図５の(c) に示すように、縦軸部１５ａが係合孔７に突入し、横軸部１５ｂが係合孔７の下方で横向き状態となって、中桟本体８が持ち上がっても、係合孔７から抜け出ることがない。
【００２７】
上記のように、一端部にコ字枠部材９を取り付け、他端部にフック１５を取り付けた中桟６の両端部を足場板４の長手方向に対向する支柱１，１間に設置する時は、先にフック１５を、対応する一方の支柱１のフランジ２の係合孔７に係止させた後、コ字枠部材９を、対応する他方の支柱１のフランジ２に跨嵌させて、コ字枠部材９の上下部片９ａ，９ｂの差込孔１０，１１とフランジ２に設けられた係合孔７とにわたって上方よりロックピン１２を差し込めばよく、従ってハンマーなどの工具を一切使用することなく、中桟６を、単管足場の足場板４長手方向に対向するフランジ２付き支柱１間に簡単容易に取り付けることができる。
【００２８】
また、中桟６を取り外す時は、コ字枠部材９側からロックピン１２を図３の(a-1) に示すように引き上げて、コ字枠部材９側を横方向に移動させると、中桟本体８の一端部がフランジ２から外れるので、中桟本体８の他端部にあるフック１５をフランジ２の係合孔７から引き抜くことによって、中桟６を簡単容易に取り外すことができる。
【００２９】
また、この中桟６は手摺り５よりも細い鋼管からなるもので、一端部にコ字枠部材９を取り付けると共に、落し込みタイプ（落下錠タイプ）のロックピン１２を有し、他端部にフック１５を取り付けるだけであるから、構造が簡単で軽量にしてコンパクトとなって、安価に製作でき、しかも嵩張らずに梱包することができる。また、楔を使用しないため、緩んで外れる可能性がない。
【００３０】
図１の(a) に示す手摺り５は、その両端部に夫々コ字形の取付金具１７を備えており、各取付金具１７の上部側と下部側とに楔孔（図示省略）が設けてあって、各取付金具１７を対応する支柱１のフランジ２に跨嵌させて、楔１８を取付金具１７の上部側楔孔からフランジ２の係合孔７及び取付金具１７の下部側楔孔にハンマーで打ち込むことによって、手摺り５の両端部を対向する支柱１，１間に設置するようになっており、また図１の(a) ，(b) に示す足場板４は、両端部に夫々一対ずつ突設された係止用フック１９を対向する腕木３，３に係止させることによって架け渡される。
【００３１】
図６の(a) ，(b) には本発明の他の実施形態による中桟１６を備えた単管足場を示す。ここに示す中桟１６は、中桟本体８の両端部に、夫々上下部片９ａ，９ｂに差込孔１０，１１を有するコ字枠部材９，９を取り付け、各コ字枠部材９を各支柱１のフランジ２に跨嵌させて、各コ字枠部材９の上下部片９ａ，９ｂの差込孔１０，１１とフランジ２に設けられた係合孔７とにわたって上方よりロックピン１２を差し込むことにより、中桟１６の両端部を対向する両支柱１，１のフランジ２，２に取り付けるようにしたものである。
【００３２】
この図６に示す実施形態において、中桟本体８、コ字枠部材９及びロックピン１２の構造、並びにコ字枠部材９及びロックピン１２の作用については、図１〜図５に示す実施形態の中桟６の場合と全く同じであるから、その構造並びに作用の説明を省略する。
【００３３】
この図６に示す実施形態の中桟１６のように、中桟本体８の両端部にコ字枠部材９，９を取り付けた場合は、中桟１６の設置時には、各コ字枠部材９を各支柱１のフランジ２に跨嵌させて、コ字枠部材９の上下部片９ａ，９ｂの差込孔１０，１１とフランジ２の係合孔７とにわたって上方よりロックピン１２を差し込めばよく、また中桟１６を取り外す時は、各ロックピン１２を引き上げて、コ字枠部材９側を横方向に移動させればよいから、中桟１６の取付け及び取外し作業がより一層簡単容易となる。
【符号の説明】
【００３４】
１            支柱
２            フランジ
３            腕木
４            足場板
５            手摺り
６，１６      中桟
７            フランジの係合孔
８            中桟本体
９            コ字枠部材
９ａ          コ字枠部材の上部片
９ｂ          コ字枠部材の下部片
１０、１１    差込孔
１２          ロックピン
１５          フック
【図１】
2011032806.tif 000003
【図２】
2011032806.tif 000004
【図３】
2011032806.tif 000005
【図４】
2011032806.tif 000006
【図５】
2011032806.tif 000007
【図６】
2011032806.tif 000008